(57)【要約】【課題】フィルタカートリッジの搬送時の取り扱いが容易となる搬送容器を提供する。【解決手段】フィルタカートリッジの出入り口である移送開口が周壁に設けられるとともに、底部が開放され、頂部が閉鎖されたお椀状の容器本体と、容器本体の開放された底部を開閉する底蓋および移送開口を開閉する側方蓋を有する蓋本体とを有し、容器本体には、移送開口から容器本体内に進入するフィルタカートリッジを案内して保持する一対のガイド板と、ガイド板に案内され容器内の収納位置まで進入したフィルタカートリッジを拘束して容器本体外への移動を禁止するとともに、フィルタカートリッジを取り出す際はその移動を許容するロック装置とが設けられていることを特徴とする。【選択図】図４
2014074636.tif 000002
【特許請求の範囲】
【請求項１】
フィルタ性能試験装置にセットされているフィルタカートリッジを当該装置から回収・搬送する容器であって、
前記フィルタカートリッジの側方から差し込み、前記フィルタカーリッジを前記試験装置から容器内に移送し、放射性物質を遮蔽して搬送するフィルタカートリッジの搬送容器において、
前記フィルタカートリッジの出入り口である移送開口が周壁に設けられるとともに、底部が開放され、頂部が閉鎖されたお椀状の容器本体と、
前記容器本体の開放された底部を開閉する底蓋および前記移送開口を開閉する側方蓋を有する蓋本体とを有し、
前記容器本体には、前記移送開口から容器本体内に進入する前記フィルタカートリッジを案内して保持する一対のガイド板と、前記ガイド板に案内され容器内の収納位置まで進入したフィルタカートリッジを拘束して容器本体外への移動を禁止するとともに、前記フィルタカートリッジを取り出す際はその移動を許容するロック装置とが設けられていることを特徴とするフィルタカートリッジの搬送容器。
【請求項２】
請求項１に記載のフィルタカートリッジの搬送容器において、
前記一対のガイド板は、互いに端面を向き合わせた状態で前記容器本体の前記周壁の内面に立設された一対の板状部材であって、前記移送開口から見たときに奥行き方向に延在し、
前記ロック装置は、可動爪を有し、
前記可動爪は、ロック位置では容器本体内に収納されている前記フィルタカートリッジと当接することで前記フィルタカートリッジの容器本体外への移動を禁止し、前記フィルタカートリッジが容器本体内に進入する際には、進入する前記フィルタカートリッジによって押しのけられて、前記ロック位置から前記フィルタカートリッジの進入を許可する退避位置まで移動することを特徴とするフィルタカートリッジの搬送容器。
【請求項３】
請求項１または請求項２に記載のフィルタカートリッジの搬送容器において、
前記容器本体と前記蓋本体とを前記容器本体の外側で互いに軸支する軸支部をさらに備え、
前記蓋本体は、前記軸支部で前記容器本体に対して回動することで、前記容器本体の底部および前記移送開口を遮蔽する遮蔽位置と、前記容器本体の底部および前記移送開口を開放する開放位置との間を移動可能であることを特徴とするフィルタカートリッジの搬送容器。
【発明の詳細な説明】
【技術分野】
【０００１】
本発明は、放射性物質を吸着したフィルタを有するフィルタカートリッジの搬送容器に関する。
【背景技術】
【０００２】
放射性物質が吸着したフィルタや濾紙の放射線量を測定するためには、フィルタや濾紙を測定装置がある場所まで搬送する必要がある。その際、たとえば、放射性物質が吸着した複数の濾紙を回収して収納容器に収納し、収納容器ごと測定装置に取り付けられるようにした濾紙収納容器が知られている（特許文献１参照）。
【先行技術文献】
【特許文献】
【０００３】
【特許文献１】特開平１１−８４０１６号公報
【発明の概要】
【発明が解決しようとする課題】
【０００４】
上述した特許文献に記載の濾紙収納容器では、濾紙以外の形態のフィルタ、たとえば活性炭が充填されているフィルタカートリッジには用いることができない。
【課題を解決するための手段】
【０００５】
本発明によるフィルタカートリッジの搬送容器は、フィルタ性能試験装置にセットされているフィルタカートリッジを当該装置から回収・搬送する容器であって、フィルタカートリッジの側方から差し込み、フィルタカーリッジを試験装置から容器内に移送し、放射性物質を遮蔽して搬送するフィルタカートリッジの搬送容器において、フィルタカートリッジの出入り口である移送開口が周壁に設けられるとともに、底部が開放され、頂部が閉鎖されたお椀状の容器本体と、容器本体の開放された底部を開閉する底蓋および移送開口を開閉する側方蓋を有する蓋本体とを有し、容器本体には、移送開口から容器本体内に進入するフィルタカートリッジを案内して保持する一対のガイド板と、ガイド板に案内され容器内の収納位置まで進入したフィルタカートリッジを拘束して容器本体外への移動を禁止するとともに、フィルタカートリッジを取り出す際はその移動を許容するロック装置とが設けられていることを特徴とする。
【発明の効果】
【０００６】
本発明によれば、フィルタカートリッジの搬送時の取り扱いが容易となる。
【図面の簡単な説明】
【０００７】
【図１】フィルタカートリッジの搬送容器に収納されるフィルタカートリッジの外観を示す斜視図である。
【図２】フィルタ性能試験装置の概要を示す図である。
【図３】フィルタカートリッジの搬送過程の一例を示す図である。
【図４】蓋本体を開いた状態における搬送容器を示す斜視図である。
【図５】蓋本体を閉じた状態における搬送容器を示す斜視図である。
【図６】容器本体を側面開口側から見た断面図である。
【図７】図６におけるＡ−Ａ矢視方向から見たときの容器本体の断面図である。
【図８】搬送容器内にフィルタカートリッジを移送（収納）する様子を説明する図である。
【図９】搬送容器内にフィルタカートリッジを移送（収納）する様子を説明する図である。
【図１０】搬送容器内にフィルタカートリッジが移送（収納）された状態を説明する図である。
【発明を実施するための形態】
【０００８】
図１〜１０を参照して、本発明によるフィルタカートリッジの搬送容器の一実施の形態を説明する。図１は、本発明によるフィルタカートリッジの搬送容器に収納されるフィルタカートリッジの外観を示す斜視図である。フィルタカートリッジ５０は、段付き円筒形状を呈する中空の部材である。フィルタカートリッジ５０の外周には、フィルタカートリッジ５０の円筒の軸方向の中央近傍に、円周方向に沿った溝である溝部５１が設けられている。溝部５１の上下部分で溝部５１よりも外径が大きい部分を大径部５２と呼ぶ。フィルタカートリッジ５０の中空部分５３には、たとえばフィルタ性能試験用の試料として、放射性ヨウ素吸着用の活性炭が充填されている。
【０００９】
フィルタカートリッジ５０の円筒の両端に相当する部分には、充填されている活性炭の漏れを防止しつつ、フィルタ性能試験用の放射性ヨウ素等および空気を透過させる網５４が取り付けられている。
【００１０】
図２は、フィルタ性能試験装置の概要を示す図である。フィルタ性能試験装置２０では、恒温槽内２１で複数個のフィルタカートリッジ５０が上下方向に積層されて配設される。これにより、各フィルタカートリッジ５０の中空部分５３が直列に接続される。なお、積層されたフィルタカートリッジ５０は、不図示の治具によって上下方向から挟み込まれることで積層された状態で一体的に固定されている。
【００１１】
フィルタ性能試験時には、不図示の調温調湿装置で所定の温度および所定に湿度に設定された空気と、不図示の放射性ヨウ素発生装置で発生された放射性ヨウ素とが積層されたフィルタカートリッジ５０の下方から供給される。供給された空気は、積層されたフィルタカートリッジ５０の上部から排出される。
【００１２】
フィルタ性能試験後、各フィルタカートリッジ５０は、フィルタ性能試験装置２０から取り外されて、たとえば図３に示すような測定装置３０で放射線量が測定される。なお、測定される放射線量から、フィルタカートリッジ５０内の活性炭における放射性物質の吸着量が算出できる。フィルタ性能試験装置２０から測定装置３０にフィルタカートリッジ５０を搬送する場合、図４，５に示すような搬送容器１００にフィルタカートリッジ５０を収納する。そして、図３に示す測定装置の上部の蓋を開き、搬送容器１００ごとフィルタカートリッジ５０を測定装置内に入れて、蓋を閉じた後に放射線量を測定する。なお、搬送容器１００は、測定装置における放射線量の測定に影響を与えないように、たとえばアクリル等の素材で構成されている。
【００１３】
搬送容器１００は、その内部にフィルタカートリッジ５０を収納して、フィルタカートリッジ５０を持ち運ぶための容器である。搬送容器１００は、容器本体１１０と蓋本体１５０とを備えている。なお、図４は、蓋本体１５０を開いた状態を示す斜視図であり、図５は、蓋本体１５０を閉じた状態を示す図である。図４に示す、蓋本体１５０を開いた状態を開放状態と呼び、このときの蓋本体１５０の回動位置を開放位置と呼ぶ。また、図５に示す、蓋本体１５０を閉じた状態を遮蔽状態と呼び、このときの蓋本体１５０の回動位置を遮蔽位置と呼ぶ。
【００１４】
容器本体１１０は、有蓋無底の円筒部材であり、底部の開口（底部開口）１１１、および、底部開口１１１と連続して開口している側面の移送開口（側面開口）１１２を有する。換言すると、容器本体１１０は、フィルタカートリッジ５０の出入り口である側面開口１１２が周壁に設けられるとともに、底部が開放され、頂部が閉鎖されたお椀状の部材である。
【００１５】
蓋本体１５０は、底部開口１１１と側面開口１１２とを開放および遮蔽可能な蓋部材であり、底部開口１１１を開放および遮蔽する底蓋１５１と、側面開口１１２を開放および遮蔽する側方蓋１５２とを有する。底蓋１５１は、容器本体１１０の底部開口１１１よりも大きく、容器本体１１０の下方から底部開口１１１を遮蔽する。側方蓋１５２は、容器本体１１０の側面開口１１２よりも大きく、容器本体１１０の外側から側面開口１１２を遮蔽する。底蓋１５１には、容器本体１１０に設けられたロックラッチ１２１（後述）が挿嵌される凹部１５３が設けられている。容器本体１１０と蓋本体１５０とは、軸支部１８０で互いに軸支されている。軸支部１８０における蓋本体１５０の回転中心軸は、容器本体１１０の円筒の軸心と平行である。
【００１６】
図６は、容器本体１１０を側面開口１１２側から見た断面図である。図７は、図６におけるＡ−Ａ矢視方向から見たときの容器本体１１０の断面図である。なお、図６，７では、説明の便宜上、蓋本体１５０および軸支部１８０の記載を省略している。図４〜７に示すように、容器本体１１０には、カートリッジ支持部１１３と、落下防止用ラッチ１１４と、ラッチ駆動部１１５と、取り出し用ボタン１１６と、把手１１７とが設けられている。また、容器本体１１０には、ロックラッチ１２１と、ラッチ駆動部１２２と、ロック解除ボタン１２３とが設けられている。
【００１７】
カートリッジ支持部１１３は、搬送容器１００の内部でフィルタカートリッジ５０を支持する部位であり、側面開口１１２から容器本体１１０内に進入するフィルタカートリッジ５０を案内して保持する一対のガイド板である。カートリッジ支持部１１３は、容器本体１１０内にフィルタカートリッジ５０を収納した際に、大径部５２と溝部５１との段差部分に下方から当接して、フィルタカートリッジ５０を支持する（図６，７）。図６は、カートリッジ支持部１１３でフィルタカートリッジ５０を支持した状態を側面開口１１２側から見た断面図である。
【００１８】
落下防止用ラッチ１１４は、側面開口１１２が開放されているときに搬送容器１００に収納したフィルタカートリッジ５０が側面開口１１２から意図せず落下してしまうのを防止するための可動爪である。ラッチ駆動部１１５は、落下防止用ラッチ１１４を上下させる駆動部である。ラッチ駆動部１１５は、不図示のバネによって落下防止用ラッチ１１４を下方に付勢している。また、ラッチ駆動部１１５は、後述する取り出し用ボタン１１６が押圧されると、不図示のバネの付勢力に抗して落下防止用ラッチ１１４を上方に退避させる。取り出し用ボタン１１６は、落下防止用ラッチ１１４を上方に退避させるためのボタンであり、たとえば把手１１７の端部近傍に設けられている。なお、把手１１７は、搬送容器１００を持ち運ぶための把手である。
【００１９】
落下防止用ラッチ１１４の側面開口１１２に面した部分は、後述するように、フィルタカートリッジ５０を搬送容器１００に収納する際にフィルタカートリッジ５０の大径部５２の側面で押しのけられて大径部５２の上面を乗り越えられるように斜めに切り欠かれている。
【００２０】
ロックラッチ１２１は、遮蔽位置で蓋本体１５０を固定するための可動爪であり、遮蔽位置にある蓋本体１５０の凹部１５３に挿嵌される。ラッチ駆動部１２２は、ロックラッチ１２１を上下させる駆動部である。ラッチ駆動部１２２は、不図示のバネによってロックラッチ１２１を下方に付勢している。また、ラッチ駆動部１２２は、後述するロック解除ボタン１２３が押圧されると、不図示のバネの付勢力に抗してロックラッチ１２１を上方に退避させる。ロック解除ボタン１２３は、ロックラッチ１２１を上方に退避させるためのボタンである。
【００２１】
ロックラッチ１２１の側面開口１１２に面した部分は、後述するように、蓋本体１５０を遮蔽位置へ回動させる際に底蓋１５１の側面で押しのけられて、底蓋１５１の上面を乗り越えられるように斜めに切り欠かれている。
【００２２】
このように構成される搬送容器１００は、次のようにして使用される。フィルタ性能試験装置２０内で積層された状態で一体的に固定されていた各フィルタカートリッジ５０は、フィルタ性能試験後に不図示の治具による挟み込みが解かれると、それぞれフィルタ性能試験装置２０から取り外すことができる。このとき、積層されているフィルタカートリッジ５０のうち、最も上にあるフィルタカートリッジ５０を側面開口１１２から搬送容器１００に収納する。
【００２３】
具体的には、図４に示すように蓋本体１５０を開放位置に回動させた状態で、図８に示すように最も上にあるフィルタカートリッジ５０の側方から搬送容器１００を近づけて差し込む。そして、図９に示すようにカートリッジ支持部１１３をフィルタカートリッジ５０の溝部５１に挿入させる。搬送容器１００の容器本体１１０の底面には底部開口１１１が設けられているので、収納しようとするフィルタカートリッジ５０の下に他のフィルタカートリッジ５０があっても、当該他のフィルタカートリッジ５０と搬送容器１００とは干渉しない。
【００２４】
フィルタカートリッジ５０を搬送容器１００に収納する際にフィルタカートリッジ５０の大径部５２が落下防止用ラッチ１１４の側面の斜めに切り欠かれている部分に当接するので、落下防止用ラッチ１１４は、不図示のバネの付勢力に抗して上方へ移動する。これにより、落下防止用ラッチ１１４は、フィルタカートリッジ５０の大径部５２の上面を乗り越える。このときの落下防止用ラッチ１１４の位置を退避位置と呼ぶ。大径部５２が落下防止用ラッチ１１４を通り過ぎると、落下防止用ラッチ１１４が不図示のバネの付勢力によって下方へ移動する。このときの落下防止用ラッチ１１４の位置をロック位置と呼ぶ。
【００２５】
これにより、落下防止用ラッチ１１４が大径部５２の側方に位置して、フィルタカートリッジ５０の側面開口１１２側への移動を規制することになり、フィルタカートリッジ５０が拘束される。この状態では、フィルタカートリッジ５０の意図しない搬送容器１００からの脱落が防止される。したがって、フィルタ性能試験装置２０内で積層されたフィルタカートリッジ５０を取り出す際に、フィルタカートリッジ５０の落下を防止できるので、フィルタカートリッジ５０の活性炭に吸着された放射性物質が床面等に飛散するのを防止できる。なお、フィルタカートリッジ５０が搬送容器１００に収納されて、ロック位置に戻った落下防止用ラッチ１１４によって容器本体１１０外への移動が禁止される状態となったときのフィルタカートリッジ５０の位置を収納位置と呼ぶ。
【００２６】
その後、図１０に示すように、収納したフィルタカートリッジ５０を搬送容器１００ごと持ち上げて他のフィルタカートリッジ５０から離す。そして、蓋本体１５０を遮蔽位置に回動させて底部開口１１１と側面開口１１２とを遮蔽する。なお、図示はしないが、蓋本体１５０を遮蔽位置に回動させる際に底蓋１５１がロックラッチ１２１の側面の斜めに切り欠かれている部分に当接する。これにより、ロックラッチ１２１は、底蓋１５１の端面によって押しのけられて、不図示のバネの付勢力に抗して上方へ移動し、底蓋１５１の上面を乗り越える。蓋本体１５０が遮蔽位置に移動すると、ロックラッチ１２１の平面上の位置が底蓋１５１の凹部１５３と一致する。そのため、ロックラッチ１２１は不図示のバネの付勢力によって凹部１５３に挿嵌される。これにより、ロックラッチ１２１によって蓋本体１５０が遮蔽位置で固定される。
【００２７】
このようにフィルタカートリッジ５０を収納し、蓋本体１５０を遮蔽位置で固定した状態で搬送容器１００を持ち運び、上述したように、たとえば測定装置３０（図３参照）で放射線量を測定する。測定装置による測定後は、搬送容器１００に収納された状態でフィルタカートリッジ５０を所定の場所に保管する。
【００２８】
搬送容器１００からフィルタカートリッジ５０を取り外すには、ロック解除ボタン１２３を押圧してロックラッチ１２１を上方に退避させる。これにより、ロックラッチ１２１と蓋本体１５０の凹部１５３との係合が解除されるので、蓋本体１５０を開放位置に回動できる。蓋本体１５０を開放位置に回動させた後、取り出し用ボタン１１６を押圧して落下防止用ラッチ１１４を上方に退避させる。これにより、落下防止用ラッチ１１４によるフィルタカートリッジ５０の拘束が解除されるので、フィルタカートリッジ５０を側面開口１１２から取り出すことができる。
【００２９】
上述した搬送容器１００では、次の作用効果を奏する。
（１）  搬送容器１００に、有蓋無底の円筒部材である容器本体１１０、および、容器本体１１０の底部開口１１１と側面開口１１２とを開放および遮蔽可能な蓋本体１５０を備えるように構成した。そして、容器本体１１０に、フィルタカートリッジ５０を支持するカートリッジ支持部１１３と、フィルタカートリッジ５０の落下防止のロック装置としての落下防止用ラッチ１１４とを設けるように構成した。これにより、フィルタ性能試験装置２０内で積層されたフィルタカートリッジ５０を取り出す際に、フィルタカートリッジ５０の落下を防止できるので、フィルタカートリッジ５０搬送時の取り扱いが容易となるとともに、フィルタカートリッジ５０の活性炭に吸着された放射性物質が床面等に飛散するのを防止できる。
【００３０】
（２）  容器本体１１０と蓋本体１５０とを軸支部１８０で互いに軸支するように構成した。これにより、蓋本体１５０を開放位置から遮蔽位置まで容易に回動できるので、搬送容器１００の扱いが容易となり、作業効率が向上する。
【００３１】
（３）  落下防止用ラッチ１１４を退避させるための操作を行わなくても、フィルタカートリッジ５０を搬送容器１００に収納する際に落下防止用ラッチ１１４が逃げて、フィルタカートリッジ５０の収納を阻害しないように構成した。また、フィルタカートリッジ５０の収納後は、落下防止用ラッチ１１４がフィルタカートリッジ５０の側面開口１１２側への移動を規制するように構成した。これにより、フィルタカートリッジ５０の収納の際に落下防止用ラッチ１１４を駆動するための特別な操作をしなくてもよいので、作業効率が向上する。
【００３２】
−−−変形例−−−
（１）  上述の説明では、蓋本体１５０が容器本体１１０に対して回動可能に軸支されているが、本発明はこれに限定されない。たとえば、蓋本体１５０に代えて、容器本体１１０から着脱可能な蓋であってもよい。
【００３３】
（２）  上述の説明では、フィルタカートリッジ５０を搬送容器１００に収納する際に落下防止用ラッチ１１４が上方へ移動するように構成した。しかし、本発明はこれに限定されず、たとえばフィルタカートリッジ５０を搬送容器１００に収納する際に、落下防止用ラッチ１１４にフィルタカートリッジ５０が当接することで落下防止用ラッチ１１４の下端が搬送容器１００の内側上方に向かって回動して、フィルタカートリッジ５０の収納を許可するように構成してもよい。
【００３４】
また、上述の説明では、取り出し用ボタン１１６が押圧されると落下防止用ラッチ１１４が上方に退避するように構成した。しかし、本発明はこれに限定されず、たとえば取り出し用ボタン１１６の押圧によって、落下防止用ラッチ１１４の下端が容器本体１１０の円周の接線方向に回動して、フィルタカートリッジ５０の取り出しを許可するように構成してもよい。また、たとえば取り出し用ボタン１１６の押圧によって、落下防止用ラッチ１１４の下端が容器本体１１０の円周の半径方向に沿って外側、または内側に回動して、フィルタカートリッジ５０の取り出しを許可するように構成してもよい。
【００３５】
（３）  上述の説明では、搬送容器１００がアクリル等の素材で構成されているが、本発明はこれに限定されない。たとえば、放射性物質の吸着量の測定をせず、単にフィルタカートリッジ５０の運搬を行うだけであれば、放射線を遮蔽する鉛などを用いて搬送容器１００を構成してもよい。
（４）  上述した各実施の形態および変形例は、それぞれ組み合わせてもよい。
【００３６】
なお、本発明は、上述した実施の形態のものに何ら限定されず、フィルタ性能試験装置にセットされているフィルタカートリッジを当該装置から回収・搬送する容器であって、フィルタカートリッジの側方から差し込み、フィルタカーリッジを試験装置から容器内に移送し、放射性物質を遮蔽して搬送するフィルタカートリッジの搬送容器において、フィルタカートリッジの出入り口である移送開口が周壁に設けられるとともに、底部が開放され、頂部が閉鎖されたお椀状の容器本体と、容器本体の開放された底部を開閉する底蓋および移送開口を開閉する側方蓋を有する蓋本体とを有し、容器本体には、移送開口から容器本体内に進入するフィルタカートリッジを案内して保持する一対のガイド板と、ガイド板に案内され容器内の収納位置まで進入したフィルタカートリッジを拘束して容器本体外への移動を禁止するとともに、フィルタカートリッジを取り出す際はその移動を許容するロック装置とが設けられていることを特徴とする各種構造のフィルタカートリッジの搬送容器を含むものである。
【符号の説明】
【００３７】
５０  フィルタカートリッジ                ５１  溝部
５２  大径部                              １００  搬送容器
１１０  容器本体                          １１１  底部の開口（底部開口）
１１２  側面の移送開口（側面開口）        １１３  カートリッジ支持部
１１４  落下防止用ラッチ                  １１５  ラッチ駆動部
１１６  取り出し用ボタン                  １２１  ロックラッチ
１２２  ラッチ駆動部                      １２３  ロック解除ボタン
１５０  蓋本体                            １５１  底蓋
１５２  側方蓋                            １５３  凹部
１８０  軸支部
【図１】
2014074636.tif 000003
【図２】
2014074636.tif 000004
【図３】
2014074636.tif 000005
【図４】
2014074636.tif 000006
【図５】
2014074636.tif 000007
【図６】
2014074636.tif 000008
【図７】
2014074636.tif 000009
【図８】
2014074636.tif 000010
【図９】
2014074636.tif 000011
【図１０】
2014074636.tif 000012